(57)【特許請求の範囲】
【請求項１】
放射線検出素子から電荷を読み出して放射線画像のデータを生成するように制御する制御手段と、生成された前記放射線画像のデータを記憶する記憶手段と、を備える放射線画像撮影装置と、
撮影オーダー情報を指定可能な携帯情報端末と、
コンソールと、を備える放射線画像撮影システムにおいて、
前記放射線画像撮影装置の前記制御手段は、前記コンソールによる制御を受けずに撮影を行うとともに、前記放射線画像のデータにそれぞれ異なるＩＤを対応付けて前記記憶手段に記憶させ、
前記携帯情報端末は、
前記撮影オーダー情報の順番を指定することが可能に構成され、
前記放射線画像のデータに対応付けられた前記ＩＤを前記放射線画像撮影装置から取得し、前記撮影について指定された前記撮影オーダー情報に当該ＩＤを対応付け、
前記コンソールは、
前記放射線画像撮影装置の前記記憶手段に記憶されている前記放射線画像のデータおよび前記ＩＤの組を取得し、
前記携帯情報端末が対応付けた前記撮影オーダー情報および前記ＩＤの組を取得し、
前記ＩＤに基づいて、前記放射線画像のデータと前記撮影オーダー情報とを対応付けることを特徴とする放射線画像撮影システム。
【請求項２】
前記撮影オーダー情報の順番が予め指定されている場合、前記携帯情報端末は、前記放射線画像撮影装置から前記ＩＤを取得するごとに、取得した前記ＩＤを順番に前記撮影オーダー情報に対応付けていくことを特徴とする請求項１に記載の放射線画像撮影システム。
【請求項３】
放射線検出素子から電荷を読み出して放射線画像のデータを生成するように制御する制御手段と、生成された前記放射線画像のデータを記憶する記憶手段と、を備える放射線画像撮影装置と、
撮影オーダー情報を指定可能な携帯情報端末と、
コンソールと、を備える放射線画像撮影システムにおいて、
前記放射線画像撮影装置の前記制御手段は、前記コンソールによる制御を受けずに撮影を行うとともに、前記放射線画像のデータにそれぞれ異なるＩＤを対応付けて前記記憶手段に記憶させ、
前記携帯情報端末は、
前記撮影オーダー情報を追加または削除することが可能に構成され、
前記放射線画像のデータに対応付けられた前記ＩＤを前記放射線画像撮影装置から取得し、前記撮影について指定された前記撮影オーダー情報に当該ＩＤを対応付け、
前記コンソールは、
前記放射線画像撮影装置の前記記憶手段に記憶されている前記放射線画像のデータおよび前記ＩＤの組を取得し、
前記携帯情報端末が対応付けた前記撮影オーダー情報および前記ＩＤの組を取得し、
前記ＩＤに基づいて、前記放射線画像のデータと前記撮影オーダー情報とを対応付けることを特徴とする放射線画像撮影システム。
【請求項４】
前記放射線画像撮影装置は、筐体に表示部を備え、
前記放射線画像撮影装置の前記制御手段は、前記放射線画像のデータに前記ＩＤを対応付けるごとに前記ＩＤをコード化し、コード化された前記ＩＤを前記表示部に表示することを特徴とする請求項１から請求項３のいずれか一項に記載の放射線画像撮影システム。
【発明の詳細な説明】
【技術分野】
【０００１】
本発明は、放射線画像撮影システムに関する。
【背景技術】
【０００２】
近年、放射線検出素子を二次元状に配列し、放射線源から照射され被写体を透過した放射線に応じて放射線検出素子内で発生した電荷を画像データとして読み取る放射線画像撮影装置（Flat Panel Detector）が種々開発されており、病院等の施設で撮影に用いられている。また、近年、放射線検出素子等が形成されたセンサーパネル等を筐体内に収納し、持ち運び可能とした可搬型の放射線画像撮影装置が開発され、実用化されている。
【０００３】
従来、このような放射線画像撮影装置を用いた放射線画像撮影システムでは、放射線画像撮影装置が、コンピューター等で構成されるコンソールによる撮影制御の下で動作を行うように構成されていた。そして、コンソールは、放射線画像撮影装置を起動させたり、放射線画像撮影装置の電力消費状態（いわゆる省電力状態（sleep状態等ともいう。）や撮影可能状態（wake up状態等ともいう。））を切り替えたり、放射線画像撮影装置から画像データ等を撮影ごとに転送させたり、或いは、生成した放射線画像と、その放射線画像の撮影に対する指示内容が記載された撮影オーダー情報との対応付け（紐付け等ともいう。）等の各処理を行うように構成される（例えば特許文献１等参照）。
【０００４】
また、上記のような放射線画像撮影装置を病室や患者の自宅等に持ち込んで撮影を行う場合、例えば、図１１に示すように、可搬型の放射線画像撮影装置１００と、例えばノートパソコン等で構成されるコンソール１０１と、ポータブルの放射線源１０２を患者の自宅等に持ち込んで撮影が行われる場合がある。そして、この場合、図示を省略するが、放射線技師等の操作者は、放射線画像撮影装置１００を、被写体である患者の身体にあてがったり、或いは患者とベッドとの間に挿入する等した状態で、ポータブルの放射線源１０２から放射線を照射させて撮影を行う。また、馬等の家畜等の撮影を行う場合も同様にして撮影が行われる場合がある。
【０００５】
その際、例えば放射線画像撮影装置１００とコンソール１０１とをケーブルで接続し、放射線画像撮影装置１００からコンソール１０１への画像データの転送をケーブルを介して有線方式で行うように構成すると、ケーブルに操作者の足が引っ掛かる等して撮影の邪魔になる虞れがある。そのため、このような場合には、放射線画像撮影装置１００とコンソール１０１との間の通信は、例えば放射線画像撮影装置１００の図示しないアンテナとコンソール１０１に取り付けた無線通信装置１０１ａ等とを介して無線方式で行われる場合が多い。
【０００６】
しかし、病院等の施設における撮影室等とは異なり、患者の自宅等では種々の機器の間等で電波が飛び交っている等して、放射線画像撮影装置１００とコンソール１０１との間の無線通信に関して言えば、必ずしも電波環境が良くない場合が少なくない。そして、電波環境が悪化すると、画像データの転送速度が低下したり転送が不安定になったり、或いは最悪の場合、画像データの転送ができなくなる場合もある。
【０００７】
そこで、放射線画像撮影装置１００がコンソール１０１による制御を受けずに、放射線画像撮影装置自体で撮影を行うことができるように構成することが可能である。すなわち、この場合、放射線画像撮影装置１００を用いて１回或いは複数回の撮影を行い、撮影された画像データは、放射線画像撮影装置１００の図示しないメモリー等に保存しておく。
【０００８】
そして、一連の撮影が終了した後で、放射線画像撮影装置１００をコンソール１０１が設置されている場所に運び、放射線画像撮影装置１００とコンソール１０１とを無線方式或いは有線方式で接続して、放射線画像撮影装置１００内に保存されている一連の撮影の画像データをコンソール１０１に転送する。そして、コンソール１０１で画像データ等に基づいて放射線画像を生成し、放射線技師等の操作者が、生成された放射線画像と撮影オーダー情報との対応付けの処理（後登録ともいう。）を行う。
【０００９】
このように構成すれば、患者の自宅等での回診の際に、コンソール１０１をいちいち撮影現場に持ち込まずに撮影を行うことが可能となり、上記のような電波環境の悪さによる撮影の遅延や画像データの転送不能等の問題が生じることを防止することが可能となる。また、それとともに、放射線画像撮影装置１００からコンソール１０１への画像データ等の転送を行わなくて済むため、その分、１回の撮影に要する時間を短縮することが可能となり、放射線技師等の操作者が短いサイクルタイムで次々と撮影を行うことが可能となる。
【００１０】
しかし、上記のように構成する場合、撮影後に、放射線技師等の操作者が手動で放射線画像と撮影オーダー情報との対応付けを行わなければならず、作業が面倒なものとなっていた。
【００１１】
そこで、特許文献２に記載されているように、例えば放射線画像撮影装置１００に予めこれから行う各撮影に関する撮影オーダー情報等を入力しておき、放射線画像撮影装置１００が、画像データや、放射線画像撮影装置１００で画像データ等に基づいて生成された放射線画像を、撮影オーダー情報に自動的に対応付けるように構成することが可能である。
【００１２】
すなわち、前述したコンソール１０１での処理を、放射線画像撮影装置１００が自ら行うように構成することが可能である。なお、この場合も、従来のコンソール１０１における対応付けの処理の場合と同様に、放射線技師等の操作者による対応付けの確認処理や確定処理等が必要になるが、上記のように操作者が手動で放射線画像と撮影オーダー情報とを対応付ける場合に比べれば、確認処理や確定処理は非常に楽に行うことができる。
【先行技術文献】
【特許文献】
【００１３】
【特許文献１】国際公開第２０１１／１４２１５７号パンフレット
【特許文献２】特開２０１０−１３７０５９号公報
【発明の概要】
【発明が解決しようとする課題】
【００１４】
ところで、上記の特許文献２に記載された放射線画像撮影装置１００では、従来、コンソール１０１の表示部上で行われていた放射線画像と撮影オーダー情報との対応付けの確認処理や確定処理を、放射線画像撮影装置１００の裏面（すなわち後述する放射線入射面Ｒとは反対側の面）に設けられた表示部に放射線画像や撮影オーダー情報を表示させて行うことになる。
【００１５】
しかしながら、例えば患者の身体とベッドとの間に挿入された放射線画像撮影装置１００を、操作者が撮影ごとに引き出して対応付けを確認する等した後、放射線画像撮影装置１００を再度、患者の身体とベッドとの間に挿入することを繰り返すのでは、撮影の作業効率が低下する。
【００１６】
また、特許文献２にも記載されているように、例えば、放射線画像撮影装置１００とは別体の表示装置を、放射線画像撮影装置１００からケーブル等を介して引き出し、上記のように放射線画像撮影装置１００を撮影ごとに患者の身体とベッドとの間等から引き出したり挿入し直したりせずに、表示装置上に放射線画像や撮影オーダー情報を表示させて対応付けの確認処理等を行うように構成することも可能である。
【００１７】
しかし、この場合は、放射線画像撮影装置１００から表示装置に画像データや放射線画像のデータを撮影ごとに転送することが必要になり、上記のように、放射線画像撮影装置１００に画像データ等を保存しておくことで画像データ等をコンソール１０１に転送しなくて済むため１回の撮影に要する時間を短縮することが可能となり短いサイクルタイムで撮影を行うことが可能となるといった有益な効果が損なわれてしまう虞れがあった。
【００１８】
本発明は、上記の問題点を鑑みてなされたものであり、コンソールなしで放射線画像撮影装置を用いて短いサイクルタイムで撮影を行うことができるとともに、コンソール上で放射線画像と撮影オーダー情報との対応付けを容易かつ的確に行うことが可能な放射線画像撮影システムを提供することを目的とする。
【課題を解決するための手段】
【００１９】
前記の問題を解決するために、本発明の放射線画像撮影システムは、
放射線検出素子から電荷を読み出して放射線画像のデータを生成するように制御する制御手段と、生成された前記放射線画像のデータを記憶する記憶手段と、を備える放射線画像撮影装置と、
撮影オーダー情報を指定可能な携帯情報端末と、
コンソールと、を備える放射線画像撮影システムにおいて、
前記放射線画像撮影装置の前記制御手段は、前記コンソールによる制御を受けずに撮影を行うとともに、前記放射線画像のデータにそれぞれ異なるＩＤを対応付けて前記記憶手段に記憶させ、
前記携帯情報端末は、
前記撮影オーダー情報の順番を指定することが可能に構成され、
前記放射線画像のデータに対応付けられた前記ＩＤを前記放射線画像撮影装置から取得し、前記撮影について指定された前記撮影オーダー情報に当該ＩＤを対応付け、
前記コンソールは、
前記放射線画像撮影装置の前記記憶手段に記憶されている前記放射線画像のデータおよび前記ＩＤの組を取得し、
前記携帯情報端末が対応付けた前記撮影オーダー情報および前記ＩＤの組を取得し、
前記ＩＤに基づいて、前記放射線画像のデータと前記撮影オーダー情報とを対応付けることを特徴とする。
また、本発明の放射線画像撮影システムは、
放射線検出素子から電荷を読み出して放射線画像のデータを生成するように制御する制御手段と、生成された前記放射線画像のデータを記憶する記憶手段と、を備える放射線画像撮影装置と、
撮影オーダー情報を指定可能な携帯情報端末と、
コンソールと、を備える放射線画像撮影システムにおいて、
前記放射線画像撮影装置の前記制御手段は、前記コンソールによる制御を受けずに撮影を行うとともに、前記放射線画像のデータにそれぞれ異なるＩＤを対応付けて前記記憶手段に記憶させ、
前記携帯情報端末は、
前記撮影オーダー情報を追加または削除することが可能に構成され、
前記放射線画像のデータに対応付けられた前記ＩＤを前記放射線画像撮影装置から取得し、前記撮影について指定された前記撮影オーダー情報に当該ＩＤを対応付け、
前記コンソールは、
前記放射線画像撮影装置の前記記憶手段に記憶されている前記放射線画像のデータおよび前記ＩＤの組を取得し、
前記携帯情報端末が対応付けた前記撮影オーダー情報および前記ＩＤの組を取得し、
前記ＩＤに基づいて、前記放射線画像のデータと前記撮影オーダー情報とを対応付けることを特徴とする。
【発明の効果】
【００２０】
本発明のような方式の放射線画像撮影システムによれば、放射線画像撮影装置は、コンソールなしで、短いサイクルタイムで撮影を行うことが可能となるとともに、コンソール上で放射線画像と撮影オーダー情報との対応付けを容易かつ的確に行うことが可能となる。
【図面の簡単な説明】
【００２１】
【図１】本実施形態に係る放射線画像撮影装置の外観を示す斜視図である。
【図２】放射線画像撮影装置の等価回路を表すブロック図である。
【図３】本実施形態に係る放射線画像撮影システムの基本的な構成を表す図である。
【図４】本実施形態に係る放射線画像撮影装置とポータブルの放射線源等を撮影現場に持ち込んで撮影を行う様子を表す図である。
【図５】放射線画像撮影装置と放射線源とが連携して撮影を行う場合に各走査線にオン電圧を印加するタイミング等を説明するタイミングチャートである。
【図６】図５に示した処理シーケンスが繰り返されてオフセットデータの読み出し処理が行われることを表すタイミングチャートである。
【図７】撮影オーダー情報の一例を示す図である。
【図８】携帯情報端末の表示部上での撮影オーダー情報の表示例等を表す図である。
【図９】放射線画像撮影装置がクレードルに挿入され、コネクター同士が接続された状態を表す断面図である。
【図１０】コンソールがＩＤを媒介として放射線画像のデータと撮影オーダー情報とを対応付ける状態を表すイメージ図である。
【図１１】放射線画像撮影装置とコンソールとポータブルの放射線源を撮影現場に持ち込み、放射線画像撮影装置をコンソールで制御しながら撮影を行っていた従来の撮影の様子を表す図である。
【発明を実施するための形態】
【００２２】
以下、本発明に係る放射線画像撮影システムの実施の形態について、図面を参照して説明する。
【００２３】
なお、以下では、放射線画像撮影システムで用いられる放射線画像撮影装置として、シンチレーター等を備え、照射された放射線をシンチレーターで可視光等の他の波長の光に変換して放射線検出素子で画像データを得るいわゆる間接型の放射線画像撮影装置について説明するが、本発明は、シンチレーター等を介さずに放射線を放射線検出素子で直接検出する、いわゆる直接型の放射線画像撮影装置に対しても適用することも可能である。
【００２４】
［放射線画像撮影装置］
本実施形態に係る放射線画像撮影システムを説明する前に、本実施形態に係る放射線画像撮影システムで用いられる放射線画像撮影装置の構成について簡単に説明する。図１は、放射線画像撮影装置の外観を示す斜視図である。
【００２５】
本実施形態では、放射線画像撮影装置１は、後述する放射線検出素子７等が筐体２内に収納されて構成されており、筐体２の一方の側面には、電源スイッチ２５や切替スイッチ２６、前述したコネクター２７、インジケーター２８等が配置されている。また、図示を省略するが、本実施形態では、筐体２の例えば反対側の側面等に、後述するコンソール８０等と無線方式で通信を行うためのアンテナ２９（後述する図２参照）が設けられている。なお、放射線画像撮影装置１は、外部と無線方式で通信を行う場合にはアンテナ２９を用い、外部と有線方式で通信を行う場合にはコネクター２７に図示しないケーブル等を接続させて通信するようになっている。
【００２６】
図２は、放射線画像撮影装置の等価回路を表すブロック図である。図２に示すように、放射線画像撮影装置１には、図示しないセンサー基板上に複数の放射線検出素子７が二次元状（マトリクス状）に配列されている。各放射線検出素子７は、照射された放射線の線量に応じた電荷を発生させるようになっている。各放射線検出素子７には、バイアス線９が接続されており、バイアス線９は結線１０に接続されている。そして、結線１０はバイアス電源１４に接続されており、バイアス電源１４からバイアス線９等を介して各放射線検出素子７に逆バイアス電圧が印加されるようになっている。
【００２７】
各放射線検出素子７には、薄膜トランジスター（Thin Film Transistor。以下、ＴＦＴという。）８がスイッチ素子として接続されており、ＴＦＴ８は信号線６に接続されている。また、走査駆動手段１５では、配線１５ｃを介して電源回路１５ａから供給されたオン電圧とオフ電圧がゲートドライバー１５ｂで切り替えられて走査線５の各ラインＬ１〜Ｌｘに印加されるようになっている。そして、各ＴＦＴ８は、走査線５を介してオン電圧が印加されるとオン状態になって、放射線検出素子７内に蓄積された電荷を信号線６に放出させ、また、走査線５を介してオフ電圧が印加されるとオフ状態になって、放射線検出素子７と信号線６との導通を遮断して、放射線検出素子７内で発生した電荷を放射線検出素子７内に蓄積させるようになっている。
【００２８】
読み出しＩＣ１６内には複数の読み出し回路１７が設けられており、読み出し回路１７にはそれぞれ信号線６が接続されている。そして、画像データＤの生成処理の際には、放射線検出素子７から電荷が放出されると、電荷は信号線６を介して読み出し回路１７に流れ込み、増幅回路１８では流れ込んだ電荷の量に応じた電圧値が出力される。そして、相関二重サンプリング回路（図２では「ＣＤＳ」と記載されている。）１９は、増幅回路１８から出力された電圧値をアナログ値の画像データＤとして読み出して下流側に出力する。そして、出力された画像データＤはアナログマルチプレクサー２１を介してＡ／Ｄ変換器２０に順次送信され、Ａ／Ｄ変換器２０でデジタル値の画像データＤに順次変換され、記憶手段２３に出力されて順次保存されるようになっている。
【００２９】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等で構成されている。専用の制御回路で構成されていてもよい。制御手段２２には、ＳＲＡＭ（Static ＲＡＭ）やＳＤＲＡＭ（Synchronous ＤＲＡＭ）等で構成される記憶手段２３が接続されており、また、アンテナ２９やコネクター２７を介して外部と無線方式や有線方式で通信を行う通信部３０が接続されている。
【００３０】
また、制御手段２２には、走査駆動手段１５や読み出し回路１７、記憶手段２３、バイアス電源１４等の各機能部に必要な電力を供給するバッテリー２４等が接続されている。そして、制御手段２２は、画像データＤの生成処理の際には、上記のように走査駆動手段１５や読み出し回路１７等の動作を制御して、各放射線検出素子７から電荷を読み出して画像データＤを生成するように制御するようになっている。
【００３１】
なお、本実施形態では、制御手段２２は、後述するように、撮影が行われるごとに、生成した画像データＤからオフセットデータＯを減算して真の画像データＤ＊を算出したり、算出した真の画像データＤ＊に対して画像補正を施して放射線画像ｐを生成して、それを記憶手段２３に記憶させていくように構成される場合もある。そのため、上記の画像データＤ（いわゆるrawデータ）や画像補正後のデータを総称して、以下、放射線画像ｐのデータという。
【００３２】
［放射線画像撮影システム］
次に、本実施形態に係る放射線画像撮影システムについて説明する。また、本実施形態に係る放射線画像撮影システムの作用についてもあわせて説明する。
【００３３】
［放射線画像撮影システムの全体的な構成について］
本実施形態に係る放射線画像撮影システム５０は、図３に示すように、上記の放射線画像撮影装置１と、携帯情報端末７０と、コンソール８０とを備えている。
【００３４】
そして、放射線画像撮影装置１の制御手段２２は、上記のようにして撮影ごとに放射線画像ｐのデータを生成し、放射線画像ｐのデータを生成するごとに生成した放射線画像ｐのデータに異なるＩＤを対応付けて、記憶手段２３に記憶させる。また、携帯情報端末７０は、撮影ごとに、放射線画像撮影装置１から放射線画像ｐのデータに対応付けられたＩＤを取得し、この放射線画像ｐが得られた撮影について指定された撮影オーダー情報に、取得したＩＤを対応付ける。
【００３５】
そして、コンソール８０は、一連の撮影の後、放射線画像撮影装置１が無線方式や有線方式で接続されると、放射線画像撮影装置１の記憶手段２３に記憶されている放射線画像ｐのデータおよびそれに対応付けられたＩＤの単数または複数の組を取得する。また、コンソール８０は、携帯情報端末７０が無線方式や有線方式で接続されると、携帯情報端末７０が対応付けた撮影オーダー情報およびＩＤの組を取得する。そして、コンソール８０は、ＩＤに基づいて、ＩＤごとに、放射線画像ｐのデータと撮影オーダー情報とを対応付けるように構成されている。以下、具体的に説明する。
【００３６】
なお、放射線画像撮影装置１で生成された放射線画像ｐのデータおよびＩＤの単数または複数の組に対応して、携帯情報端末７０で撮影オーダー情報およびＩＤの単数または複数の組が形成される。また、図３において、「ｐ＋ＩＤ」は、ＩＤが対応付けられた放射線画像ｐのデータすなわち上記の放射線画像ｐのデータおよびＩＤの組を表し、「ＰＯＩ＋ＩＤ」は、ＩＤが対応付けられた撮影オーダー情報（photograph order information：ＰＯＩ）すなわち上記の撮影オーダー情報およびＩＤの組を表す。
【００３７】
［撮影現場での撮影等について］
放射線画像撮影装置１の構成は、上記で説明した通りであり、例えば図４に示すように、ポータブルの放射線源５２とともに、患者の自宅等の撮影現場に持ち運ばれる。そして、放射線技師等の操作者が放射線画像撮影装置１を被写体である患者の身体にあてがったり、或いは患者とベッドとの間に挿入する等して撮影に用いられる。ポータブルの放射線源５２には、曝射スイッチ５６等が取り付けられている。
【００３８】
しかし、本実施形態では、図１１に示した従来の場合とは異なり、コンソール８０は撮影現場には持ち込まれない。そのため、放射線画像撮影装置１は、コンソール８０の制御を受けずに、いわば自立して撮影を行うようになっている。
【００３９】
なお、本実施形態では、このように、撮影の際に、放射線画像撮影装置１とコンソール８０とは通信を行わないが、上記のように、一連の撮影の後、放射線画像撮影装置１とコンソール８０とが無線方式や有線方式で接続された時点で通信を行うようになっている。この点については、後で説明する。また、上記のように、撮影現場にはコンソール８０は持ち込まれないが、図４に示すように、放射線技師等の操作者が携帯する等して携帯情報端末７０が持ち込まれて撮影が行われる。しかし、携帯情報端末７０は、コンソールのように放射線画像撮影装置１の動作を制御することはない。この点についても後で説明する。
【００４０】
［放射線画像撮影装置での処理等について］
また、上記のように、本実施形態では、撮影時には、コンソール８０を撮影現場には持ち込まないため、放射線画像撮影装置１は、撮影時にはコンソール８０とは通信を行わないが、ポータブルの放射線源５２との間で無線方式や有線方式で通信を行うように構成することが可能である。なお、図４では、放射線画像撮影装置１とポータブルの放射線源５２との間で通信を行わないように記載されているが、この場合、放射線源５２側に図示しないアンテナやアクセスポイント等を設けて放射線画像撮影装置１と無線方式で通信するように構成される。
【００４１】
放射線画像撮影装置１と放射線源５２とが通信を行いながら撮影を行うように構成する場合には、放射線画像撮影装置１の制御手段２２は、例えば図５に示すように、走査駆動手段１５のゲートドライバー１５ｂ（図２参照）から走査線５の各ラインＬ１〜Ｌｘにオン電圧を順次印加して各ＴＦＴ８を順次オン状態にして、各放射線検出素子７内に残存する電荷を放出させる放射線検出素子７のリセット処理を行う。
【００４２】
そして、放射線技師等の操作者により放射線源５２の曝射スイッチ５６が操作されて（いわゆる全押しされて）、放射線源５２から照射開始信号が送信されてくると、放射線画像撮影装置１の制御手段２２は、図５に示すようにリセット処理を停止し、ゲートドライバー１５ｂから走査線５の各ラインＬ１〜Ｌｘにオフ電圧を印加させて全てのＴＦＴ８をオフ状態にして、放射線の照射により発生した電荷を各放射線検出素子７内に蓄積させる電荷蓄積状態に移行させる。そして、それとともに、放射線源５２にインターロック解除信号を送信する。そして、放射線源５２はインターロック解除信号を受信した時点で放射線を照射させるように構成される。
【００４３】
なお、図５の斜線の部分は放射線が照射されている期間を表す。そして、放射線画像撮影装置１の制御手段２２は、放射線の照射が終了すると、ゲートドライバー１５ｂから走査線５の各ラインＬ１〜Ｌｘにオン電圧を順次印加させ、各放射線検出素子７から電荷を読み出して画像データＤの生成処理を行うように構成される。
【００４４】
また、放射線画像撮影装置１の制御手段２２は、画像データＤの生成後に（或いは撮影前でもよい。）、放射線画像撮影装置１に放射線が照射されない状態で、図６に示すように、図５に示した画像データＤの生成処理までの電圧印加のシーケンスと同じシーケンスを繰り返してオフセットデータＯの読み出し処理を行う。そして、これらの画像データＤとオフセットデータＯとを前述した放射線画像ｐのデータとして記憶手段２３に記憶させるように構成することも可能である。
【００４５】
また、記憶手段２３に記憶させるデータ量を軽減する等の目的で、前述した画像補正を行うように構成することも可能である。すなわち、放射線画像撮影装置１の制御手段２２は、放射線検出素子７ごとに画像データＤからオフセットデータＯを減算して、放射線の照射により発生した電荷のみに起因する真の画像データＤ＊（すなわちＤ＊＝Ｄ−Ｏ）を算出し、算出した真の画像データＤ＊に対してゲイン補正や欠陥補正（いわゆる点欠陥や線欠陥を含む。）、階調処理等の画像補正を行って放射線画像ｐを生成する。また、その他、図示しないシンチレーターの感度ムラによる画像ムラの補正を行う等の画像補正を行うように構成することも可能である。
【００４６】
そして、このように、画像データＤやオフセットデータＯに基づいて真の画像データＤ＊を算出し、算出した真の画像データＤ＊に画像補正を施して放射線画像ｐを生成するように構成する場合には、放射線画像撮影装置１の制御手段２２は、生成した放射線画像ｐを前述した放射線画像ｐのデータとして記憶手段２３に記憶させる。なお、以下では、このように、放射線画像撮影装置１で放射線画像ｐを生成して記憶するように構成されている場合について説明するが、上記のように画像データＤとオフセットデータＯを記憶し、それらを、後でコンソール８０に転送し、コンソール８０上で真の画像データＤ＊を算出し画像補正を施して放射線画像ｐを生成するように構成することも可能であり、その場合にも本発明を適用することが可能であることは言うまでもない。
【００４７】
一方、ポータブルの放射線源５２には、アンテナが設けられていなかったり、アクセスポイントを設けて放射線画像撮影装置１と無線方式で通信することができないように構成されている場合も少なくない。このような場合には、図４に示すように、放射線画像撮影装置１とポータブルの放射線源５２とが通信を行わずに撮影を行うように構成される。そして、このような場合には、撮影の際に、上記のように放射線画像撮影装置１と放射線源５２との間で照射開始信号やインターロック解除信号等の送受信が行われないため、放射線画像撮影装置１が、放射線の照射が開始されたことを自ら検出するように構成される場合が多い。或いは、放射線の照射が開始される前から前述した画像データＤの生成処理を繰り返し行い、各フレームごとに生成された画像データを加算して放射線検出素子７ごとの画像データを復元するように構成される場合もある。
【００４８】
なお、放射線画像撮影装置１自体で放射線の照射開始を検出する具体的な方法としては、例えば特開２００９−２１９５３８号公報や国際公開第２０１１／１３５９１７号、国際公開第２０１１／１５２０９３号等に記載された方法を用いたり、或いは、公知の各種の方法を用いることも可能であり、特定の方法に限定されない。
【００４９】
そして、図示を省略するが、この場合も、放射線画像撮影装置１の制御手段２２は、画像データＤの生成処理を終了すると、放射線が照射されない状態で、画像データＤの生成処理までの電圧印加のシーケンスと同じシーケンスを繰り返してオフセットデータＯの読み出し処理を行う。そして、その後、画像補正を行って放射線画像ｐのデータを生成して記憶するように構成されることは、上記と同様である。
【００５０】
［放射線画像撮影装置での本発明に特有の処理等について］
そして、本実施形態では、上記のように、放射線画像撮影装置１と放射線源５２とが通信を行いながら撮影を行う場合も、通信を行わずに撮影を行う場合も、いずれの場合も同様であるが、放射線画像撮影装置１の制御手段２２は、上記のようにして放射線画像ｐのデータを生成するごとに（すなわち撮影ごとに）、生成した放射線画像ｐのデータに異なるＩＤを割り当てて対応付ける。そして、生成した放射線画像ｐのデータおよびＩＤの組を記憶手段２３に記憶させるようになっている。
【００５１】
この場合、ＩＤは、例えば撮影順に「１」、「２」、…等のようにインクリメントする数字を割り当てるように構成することが可能であるが、各放射線画像ｐのデータに互いに異なるＩＤを対応付けることができる方法であればよく、特定の方法に限定されず、どのような方法を採用することも可能である。
【００５２】
［携帯情報端末の構成や処理等について］
一方、本実施形態では、上記のように、患者の自宅等の撮影現場にコンソール８０を持ち込まない代わりに、図４に示すように、放射線技師等の操作者が携帯情報端末７０を携帯するようになっている。携帯情報端末７０は、例えばｉＰａｄ（登録商標）等のタブレットＰＣや、ＰＤＡ（Personal Data Assistance）等で構成することが可能であり、特定の機器に限定されない。
【００５３】
放射線技師等の操作者は、撮影を開始する前に、携帯情報端末７０に、ＨＩＳ（Hospital Information System；病院情報システム）やＲＩＳ（Radiology Information System；放射線科情報システム）から、これから行う撮影に関する撮影オーダー情報を取得する。この場合、携帯情報端末７０がＲＩＳ等から撮影オーダー情報を直接取得するように構成することも可能であり、或いは撮影オーダー情報を一旦コンソール８０等に取り込んだ後、コンソール８０等から携帯情報端末７０に送信するように構成することも可能である。
【００５４】
なお、本実施形態では、放射線画像撮影装置１に撮影オーダー情報を入力する必要はない。また、撮影オーダー情報とは、撮影に関して、対象となる患者や撮影部位、撮影方向等を指示する情報であり、例えば図７に例示するように、患者情報としての「患者ＩＤ」Ｐ２、「患者氏名」Ｐ３、「性別」Ｐ４、「年齢」Ｐ５、「診療科」Ｐ６、および撮影条件としての「撮影部位」Ｐ７、「撮影方向」Ｐ８等で構成される。そして、各撮影オーダー情報に対して例えば受付順に「撮影オーダーＩＤ」Ｐ１が割り当てられている。
【００５５】
そして、図８に示すように、例えば、携帯情報端末７０の表示部７１上に撮影オーダー情報の一覧を表示し、図中左側に示すように、放射線技師等の操作者が、撮影オーダー情報の順番を予め指定することができるように構成することが可能である。この場合、撮影オーダー情報の順番は、撮影が行われる順番に指定される。また、撮影ごとに、放射線技師等の操作者が、次に撮影を行う撮影オーダー情報を指定するように構成することも可能である。
【００５６】
［携帯情報端末の放射線画像撮影装置からのＩＤの取得等について］
放射線技師等の操作者は、上記のようにして、携帯情報端末７０上で撮影オーダー情報の順番を指定したり、或いは撮影ごとに撮影オーダー情報を指定する。そして、患者の自宅等の撮影現場で、放射線画像撮影装置１を被写体である患者の身体にあてがったり患者とベッドとの間に挿入する等して被写体と放射線画像撮影装置１とのポジショニングを行う。そして、ポータブルの放射線源５２の曝射スイッチ５６を操作して放射線を照射させて撮影を行う。なお、前述したように、撮影の際に、携帯情報端末７０が放射線画像撮影装置１の動作を制御することはなく、放射線画像撮影装置１は、携帯情報端末７０の制御を受けずに自立して動作する。
【００５７】
そして、本実施形態では、携帯情報端末７０は、上記のようにして撮影が行われ、放射線画像撮影装置１で放射線画像ｐのデータが生成されるごとに（すなわち撮影ごとに）放射線画像撮影装置１の制御手段２２が放射線画像ｐのデータに対応付けた上記のＩＤを、放射線画像撮影装置１から取得するようになっている。
【００５８】
本実施形態では、放射線画像撮影装置１と携帯情報端末７０との間で、短距離通信方式で通信を行うことができるようになっており、放射線画像撮影装置１の制御手段２２が、上記のようにして放射線画像ｐのデータにＩＤを対応付けた際に、当該ＩＤを携帯情報端末７０に送信するように構成することで、携帯情報端末７０が撮影ごとに放射線画像撮影装置１からＩＤを取得するようになっている。なお、放射線画像撮影装置１の制御手段２２は、このようにＩＤのみを携帯情報端末７０に送信し、放射線画像ｐのデータは携帯情報端末７０には送信しない。
【００５９】
このように構成すれば、放射線画像撮影装置１から携帯情報端末７０にＩＤのみが送信されるため、送信されるデータ量は、放射線画像ｐのデータ等を送信する場合に比べて非常に小さくなる。そのため、この場合の短距離通信は大容量である必要はなく、放射線画像撮影装置１から携帯情報端末７０にＩＤの情報が瞬時に送信される。また、放射線画像撮影装置１から携帯情報端末７０へのＩＤの送信が自動的に行われるため、ＩＤを送信させるための操作者の操作が不要になり、操作者の負担を軽減することが可能となる。
【００６０】
しかし、例えば、放射線技師等の操作者が、撮影ごとに携帯情報端末７０や放射線画像撮影装置１を操作して放射線画像撮影装置１から携帯情報端末７０にＩＤを送信させるように構成することも可能である。
【００６１】
携帯情報端末７０は、以上のようにして撮影ごとに放射線画像撮影装置１からＩＤを取得すると、例えば上記のようにして携帯情報端末７０の表示部７１上（図８参照）で当該撮影について指定された撮影オーダー情報に、当該ＩＤを自動的に対応付けるようになっている。
【００６２】
すなわち、例えば図８に示したように、放射線技師等の操作者が撮影を行う順番を予め指定している場合は、携帯情報端末７０は、撮影ごとに上記のようにして放射線画像撮影装置１からＩＤを取得するごとに、取得したＩＤを順番に撮影オーダー情報に対応付けていく。また、例えば上記のように放射線技師等の操作者が携帯情報端末７０上で撮影ごとに次に撮影を行う撮影オーダー情報を指定するように構成する場合には、携帯情報端末７０は、撮影ごとに放射線画像撮影装置１から取得したＩＤを、指定された撮影オーダー情報に対応付けるように構成される。
【００６３】
本実施形態では、以上のようにして、放射線画像撮影装置１の制御手段２２は、撮影ごとに、生成した放射線画像ｐのデータに異なるＩＤを順次対応付けていき、携帯情報端末７０は、撮影ごとに、放射線画像撮影装置１から当該ＩＤを取得し、取得したＩＤを、対応する撮影オーダー情報に順次対応付けていくようになっている。
【００６４】
［放射線画像撮影装置や携帯情報端末のコンソールとの接続について］
そして、一連の撮影が終了すると（なお撮影が１回の場合もあり得る。）、放射線技師等の操作者は、放射線画像撮影装置１と携帯情報端末７０とを撮影現場から病院等の施設に持ち帰る等して所定の場所に持って行き、図３に示したように、放射線画像撮影装置１と携帯情報端末７０とをそれぞれコンソール８０と無線方式や有線方式で接続する。
【００６５】
この場合、例えば、放射線画像撮影装置１や携帯情報端末７０をコンソール８０の近傍に持って行き、それらを無線方式や有線方式でコンソール８０と直接接続するように構成することも可能である。また、例えば、病院等の施設内の所定の場所に、図９に示すようにコンソール８０と有線方式で接続されたクレードル５５を設置しておき、放射線画像撮影装置１がクレードル５５に挿入されると、放射線画像撮影装置１のコネクター２７とクレードル５５のコネクター５５ａとが接続されることで、放射線画像撮影装置１とコンソール８０とが自動的に有線方式で接続されるように構成することも可能である。
【００６６】
また、図示を省略するが、施設内の所定の場所（例えば妨害電波が少ない場所等）に設けられたアクセスポイントを介して、放射線画像撮影装置１や携帯情報端末７０とコンソール８０とを無線方式で接続するように構成することも可能である。さらに、例えば、放射線画像撮影装置１から記憶手段２３を取り外すことができるように構成し、上記のようにＩＤが対応付けられた放射線画像ｐのデータすなわち放射線画像ｐのデータおよびＩＤの組が記憶された記憶手段２３を放射線画像撮影装置１から取り外して無線方式や有線方式でコンソール８０と接続するように構成することも可能である。
【００６７】
［コンソールでの処理について］
本実施形態では、コンソール８０は、上記のようにして放射線画像撮影装置１（或いは放射線画像撮影装置１の記憶手段２３）が無線方式や有線方式で接続されると、放射線画像撮影装置１の記憶手段２３から、上記のようにして対応付けられた放射線画像ｐのデータおよびＩＤの組を取得する。
【００６８】
また、コンソール８０は、上記のようにして携帯情報端末７０が無線方式や有線方式で接続されると、携帯情報端末７０が上記のようにして対応付けた撮影オーダー情報とＩＤの組を取得する。なお、撮影オーダー情報とそれに対応付けられたＩＤの組は、上記のように放射線画像撮影装置１から取得した放射線画像ｐのデータおよびＩＤの組と同数だけ存在するため、放射線画像撮影装置１から取得した放射線画像ｐのデータおよびＩＤの組が単数であれば、携帯情報端末７０から取得する撮影オーダー情報とＩＤの組は１組であり、放射線画像撮影装置１から取得した放射線画像ｐのデータおよびＩＤの組が複数であれば、携帯情報端末７０からは、それと同じ数の組だけ撮影オーダー情報とＩＤの組が取得されることになる。
【００６９】
そして、コンソール８０は、上記のようにして、放射線画像ｐのデータおよびＩＤの組と、撮影オーダー情報およびＩＤの組をそれぞれ取得すると、図１０にイメージ的に示すように、ＩＤを媒介としてすなわちＩＤに基づいて、ＩＤごとに、放射線画像ｐのデータと撮影オーダー情報とを対応付けるようになっている。
【００７０】
すなわち、コンソール８０は、取得した放射線画像ｐのデータの中から一の放射線画像ｐのデータ（図１０ではｐ１）を抽出し、抽出した放射線画像ｐのデータに対応付けられているＩＤ（図１０ではＩＤ１）と同じＩＤに対応付けられている撮影オーダー情報（図１０ではＰＯＩ１）を割り出し、割り出した撮影オーダー情報（ＰＯＩ１）と抽出した放射線画像ｐのデータ（ｐ１）とを対応付ける。
【００７１】
本実施形態では、コンソール８０は、このようにして、ＩＤを媒介として、ＩＤごとに放射線画像ｐのデータと撮影オーダー情報とを対応付けるようになっている。そのため、放射線画像ｐのデータへのＩＤの対応付けと、撮影オーダー情報へのＩＤの対応付けさえ誤らなければ、ＩＤを媒介として放射線画像ｐのデータと撮影オーダー情報とを的確に対応付けることが可能となる。
【００７２】
そして、本実施形態では、上記のように、撮影が行われて放射線画像撮影装置１で放射線画像ｐのデータを生成するごとに生成した放射線画像ｐのデータにＩＤを対応付け、また、携帯情報端末７０上で当該撮影について指定された撮影オーダー情報に、放射線画像ｐのデータに対応付けたＩＤと同じＩＤが対応付けられるため、放射線画像ｐのデータへのＩＤの対応付けと、撮影オーダー情報へのＩＤの対応付けとを誤ることがなく、ＩＤを媒介として放射線画像ｐのデータと撮影オーダー情報とを的確に対応付けることが可能となる。
【００７３】
［効果］
以上のように、本実施形態に係る放射線画像撮影システム５０によれば、放射線画像撮影装置１は、コンソール８０による制御を受けずに撮影を行う。また、撮影ごとに、生成した放射線画像ｐのデータに異なるＩＤを順次対応付けていき、携帯情報端末７０で、撮影ごとに、放射線画像撮影装置１からＩＤを取得し、取得したＩＤを対応する撮影オーダー情報に順次対応付けていく。そして、一連の撮影後、コンソール８０で、ＩＤに基づいて、ＩＤごとに、放射線画像ｐのデータと撮影オーダー情報とを対応付けるように構成した。
【００７４】
そのため、放射線画像撮影装置１は、コンソール８０による制御を受けずに撮影を行うことが可能となる。また、一連の撮影後、放射線技師等の操作者が放射線画像ｐのデータと撮影オーダー情報とを１つ１つ対応付ける作業が不要になり、コンソール８０が上記のようにしてＩＤに基づいて自動的に対応付けた放射線画像ｐのデータと撮影オーダー情報との対応付けを確認して確定処理を行うだけでよくなる。そのため、放射線画像ｐのデータと撮影オーダー情報との対応付けを操作者自らが行う場合に比べて、放射線画像と撮影オーダー情報との対応付けを容易かつ的確に行うことが可能となる。
【００７５】
また、上記のように、撮影時には、放射線画像撮影装置１から携帯情報端末７０にデータ量が非常に小さいＩＤが送信されるだけであり、データ量が大きい放射線画像ｐのデータは転送されないため、放射線画像撮影装置１からコンソール８０や携帯情報端末７０に放射線画像ｐのデータを転送しない分だけ１回の撮影に要する時間が短縮される。そのため、放射線画像撮影装置１を用いて短いサイクルタイムで撮影を行うことが可能となり、放射線技師等の操作者が短いサイクルタイムで次々と撮影を行うことが可能となり、放射線画像撮影装置１を含む放射線画像撮影システム５０が操作者にとって使い勝手が良いものとなる。
【００７６】
また、撮影ごとに、例えば放射線画像撮影装置１を患者の身体とベッドの間から抜き出したり挿入し直したりする必要がなくなる点でも、放射線画像撮影システム５０が操作者にとって使い勝手が良いものとなる。
【００７７】
さらに、仮に撮影時に電波環境が悪化しても、本実施形態に係る放射線画像撮影システム５０では、上記のように、撮影時には、放射線画像撮影装置１から携帯情報端末７０に非常にデータ量が小さいＩＤが送信されるだけであるため、データ量が大きい放射線画像ｐのデータを転送する場合のように、電波環境が悪化してデータの転送速度が低下したり転送が不安定になったり、或いはデータの転送ができなくなるような事態が生じることがなくなる。そのため、この点においても、本実施形態に係る放射線画像撮影システム５０は、操作者にとって使い勝手が良いものとなる。
【００７８】
［変形例１］
なお、本実施形態では、上記のように、放射線画像撮影装置１の制御手段２２が、放射線画像ｐのデータにＩＤを対応付けるごとに（すなわち撮影ごとに）、携帯情報端末７０にＩＤを送信することで、携帯情報端末７０が撮影ごとにＩＤを放射線画像撮影装置１から取得するように構成した場合について説明した。
【００７９】
しかし、この他にも、例えば、放射線画像撮影装置１の制御手段２２が上記のようにして放射線画像ｐのデータに対応付けたＩＤを、バーコードにコード化し、それをインジケーター２８（図１参照）の点滅等で表現して発信し、その発信されたコードを携帯情報端末７０で読み取り、読み取ったコードからＩＤを復元することで、撮影ごとに携帯情報端末７０がＩＤを取得するように構成することも可能である。
【００８０】
また、放射線画像撮影装置１の筐体２の側面等の、放射線画像撮影装置１が患者の身体とベッドとの間に挿入された状態でも視認可能な位置に図示しない表示部を設けておき、放射線画像撮影装置１の制御手段２２が上記のようにして放射線画像ｐのデータに対応付けたＩＤをＱＲコード（登録商標）等の２次元コードにコード化し、それを上記の表示部に表示して発信する。そして、上記と同様に、そのコードを携帯情報端末７０で読み取ることで、撮影ごとに携帯情報端末７０がＩＤを取得するように構成することも可能である。このように、携帯情報端末７０が放射線画像撮影装置１からＩＤを取得する方法は、上記のように放射線画像撮影装置１から携帯情報端末７０に送信する方法には限定されない。
【００８１】
［変形例２］
また、図８では、携帯情報端末７０の表示部７１上に撮影オーダー情報等を表示する際の構成例を示した。そして、この場合、例えば、図中左側の撮影順を指定する欄を、放射線技師等の操作者が撮影する順番にタッチすることで、各欄に自動的に図８に示したように撮影の順番が「１」、「２」、…と記入されて指定できるように構成することが可能である。また、その際、撮影オーダー情報が、指定された撮影順に自動的に入れ替わるように構成することも可能である。
【００８２】
また、例えば図８に示すように、撮影順の近傍等にCLEARボタンアイコンを表示する等して、撮影の順番をクリアして順番を指定し直すことができるように構成することも可能であり、また、携帯情報端末７０上で、撮影を行わないことになった撮影オーダー情報を削除したり、新たな撮影オーダー情報を追加することができるように構成することも可能である。なお、追加の撮影を行う際に、撮影オーダー情報が作成されていない場合には、例えば携帯情報端末７０上でダミーの撮影オーダー情報を作成して追加することができるように構成することも可能である。その際、ダミーの撮影オーダー情報は、後の処理で正式な撮影オーダー情報と取り替えられる。
【００８３】
さらに、例えば、撮影が終了した撮影オーダー情報等を、他の撮影オーダー情報よりも暗く表示したり、或いは、次に撮影が行われる撮影オーダー情報（すなわち上記のように撮影が終了してＩＤが対応付けられた撮影オーダー情報の次の撮影に対応する撮影オーダー情報）を他の撮影オーダー情報より明るく表示したり枠線で囲うように表示するなど、次の撮影に関する撮影オーダー情報であることが操作者に分かるように表示するように構成することも可能である。
【００８４】
［変形例３］
さらに、図示を省略するが、撮影ごとに、放射線画像撮影装置１で、生成した放射線画像ｐのデータの中から所定の割合（例えば１０×１０画素の中から１画素等）で放射線画像ｐのデータを抽出してプレビュー画像用データとして携帯情報端末７０に転送し、転送されてきたプレビュー画像用データに基づいて携帯情報端末７０でプレビュー画像を生成して表示部７１上に表示するように構成することも可能である。
【００８５】
この場合、プレビュー画像は撮影が適切に行われたか否かを操作者が確認するために表示されるものであり、解像度が高い状態で表示される必要はないため、放射線画像撮影装置１から携帯情報端末７０に送信するプレビュー画像用データのデータ量はさほど大きくならない。そのため、上記のように構成しても、プレビュー画像用データの転送に要する時間は非常に短くなるため、実際上、撮影のサイクルタイムが長くなることはない。そして、放射線技師等の操作者は、携帯情報端末７０の表示部７１上に表示されたプレビュー画像を見て撮影が適切に行われたか否かを操作者が判断することが可能となる点で、放射線画像撮影システム５０が操作者にとって使い勝手が良いものとなる。
【００８６】
［変形例４］
また、放射線画像撮影装置１を、上記の実施形態のように、コンソール８０による制御を受けずにいわば自立して撮影を行うことができる仕様でのみ用いることができるように構成することも可能であるが、上記の実施形態のような仕様でも用いることができ、また、撮影室等の撮影環境が整った状況等においては、従来のように放射線画像撮影装置１がコンソール８０の制御下で撮影が行われる仕様で放射線画像撮影装置１を用いることもできるように、放射線画像撮影装置１の仕様を切り替えることができるように構成することも可能である。
【００８７】
なお、本発明が上記の実施形態や各変形例等に限定されず、本発明の趣旨を逸脱しない限り、適宜変更可能であることは言うまでもない。
【符号の説明】
【００８８】
１  放射線画像撮影装置
２  筐体
７  放射線検出素子
２２  制御手段
２３  記憶手段
５０  放射線画像撮影システム
７０  携帯情報端末
８０  コンソール
ｐ  放射線画像
ＰＯＩ  撮影オーダー情報
【図１】
0006464699.tif 000002
【図２】
0006464699.tif 000003
【図３】
0006464699.tif 000004
【図４】
0006464699.tif 000005
【図５】
0006464699.tif 000006
【図６】
0006464699.tif 000007
【図７】
0006464699.tif 000008
【図８】
0006464699.tif 000009
【図９】
0006464699.tif 000010
【図１０】
0006464699.tif 000011
【図１１】
0006464699.tif 000012